(57)【要約】【課題】簡素な構成で、電力を必要とすることなく、シャッタ部材の開閉状態を見やすく表示できる換気装置を提供する。【解決手段】操作レバー１４ａの操作に応じて、色の付いたインジケータ部２３ｂが前パネル２１ｃ上において大きく移動することで、シャッタ羽根１３ａ、１３ａを開閉状態を示すので、離れた位置にいるユーザーでも、容易にインジケータ部２３ｂの位置がわかる。又、表示のために電力を用いていないので、省エネも図れる。【選択図】    図１
2005009777.tif 000002
【特許請求の範囲】
【請求項１】
換気口を有する本体と、
前記換気口を閉止する閉止位置と、前記換気口を開放する開放位置との間を移動自在なシャッタ部材と、
前記本体に取り付けられ、前記シャッタ部材を駆動する操作レバーと、
前記シャッタ部材を覆うようにして前記本体に取り付けられるカバー部材と、
前記カバー部材に取り付けられ、前記シャッタ部材の位置に応じて移動する表示部材と、
前記操作レバーと前記表示部材とを動力伝達可能に連結する連結手段とを有し、
前記本体から前記カバー部材を取り外したとき、前記連結手段は、前記表示部材から動力伝達不能に切り離されるようになっていることを特徴とする換気装置。
【請求項２】
前記換気装置は、前記換気口に配置されたファンと、前記ファンを駆動する電動モータとを有し、前記電動モータの回転速度は、前記シャッタ部材の開き量に応じて変更可能となっていることを特徴とする請求項１に記載の換気装置。
【請求項３】
前記連結手段は、互いに噛合するラックと歯車とを有することを特徴とする請求項１又は２に記載の換気装置。
【発明の詳細な説明】
【０００１】
【発明の属する技術分野】
本発明は、換気装置に関し、特に換気状態を一目で視認できる使い勝手の良い換気装置に関する。
【０００２】
【従来の技術】
外部から屋内へと新鮮な外気を取り入れると共に、屋内の空気を外部へと排出する換気装置が知られている。換気装置として良く用いられているのは、電動ファンを備えた換気扇であり、ファンを用いて強制的に屋内の空気を外部へと排出することで、効率の良い換気を行うことが可能となる。一方、シャッタを備えた自然給気装置も知られている。これは、給気ガラリまたは給気レジスタと呼ばれるものであり、建物に設けられた換気口に取り付けられ、シャッタを開放した状態では、屋外を流れる風などを利用して、屋内に外部の新鮮な空気を導入し、シャッタを閉じた状態では、屋内外の空気の流れを遮断するものであり、電気を用いることなく換気を行えるため、近年省エネの観点から注目されている（特許文献１参照）。
【特許文献１】
特開２００１−７１８６３号公報
【０００３】
【発明が解決しようとする課題】
ところで、一般的な給気装置においては、シャッタが開いているかどうかを確認するためには、シャッタを駆動する操作レバーが「開」の位置にあるか、「閉」の位置にあるかを確認することが必要となる。しかしながら、通常、操作レバーは給気装置の下面もしくは側面にあり、しかも「開」、「閉」の文字は小さく付されているために、操作レバーの位置を確認するためには給気装置の傍まで近づかなければならず不便である。
【０００４】
これに対し、操作レバーに連動してＬＥＤなどを点灯させ、シャッタの開閉状態をユーザーに知らせることも考えられる。ところが、そのような構成では、操作レバーの位置を検出するスイッチや、ＬＥＤを点灯させる回路が必要となって、コストが増大し、また電力源も必要となって設置条件が限定される。更に、遠くからでもユーザーにシャッタの開閉状態を認識させるためには、給気装置の前パネルに目立つ表示手段を設けることが好ましいが、前パネルはフィルタの掃除や交換のために取り外されることが多く、そのような取り外しのできる前パネルに、どのようにして表示手段を設けるべきかが問題となる。
【０００５】
本発明は、このような従来の問題を解決するためになされたものであり、簡素な構成で、電力を必要とすることなく、シャッタ部材の開閉状態を見やすく表示できる換気装置を提供することを目的とする。
【０００６】
【課題を解決するための手段】
本発明の換気装置は、
換気口を有する本体と、
前記換気口を閉止する閉止位置と、前記換気口を開放する開放位置との間を移動自在なシャッタ部材と、
前記本体に取り付けられ、前記シャッタ部材を駆動する操作レバーと、
前記シャッタ部材を覆うようにして前記本体に取り付けられるカバー部材と、
前記カバー部材に取り付けられ、前記シャッタ部材の位置に応じて移動する表示部材と、
前記操作レバーと前記表示部材とを動力伝達可能に連結する連結手段とを有し、
前記本体から前記カバー部材を取り外したとき、前記連結手段は、前記表示部材から動力伝達不能に切り離されるようになっていることを特徴とする。
【０００７】
【作用】
本発明の換気装置は、換気口を有する本体と、前記換気口を閉止する閉止位置と、前記換気口を開放する開放位置との間を移動自在なシャッタ部材と、前記本体に取り付けられ、前記シャッタ部材を駆動する操作レバーと、前記シャッタ部材を覆うようにして前記本体に取り付けられるカバー部材と、前記カバー部材に取り付けられ、前記シャッタ部材の位置に応じて移動する表示部材と、前記操作レバーと前記表示部材とを動力伝達可能に連結する連結手段とを有し、前記本体から前記カバー部材を取り外したとき、前記連結手段は、前記表示部材から動力伝達不能に切り離されるようになっているので、前記カバー部材が組み付けられた状態では、前記カバー部材上の視認しやすい位置に取り付けられた前記表示部材の表示よりユーザーが前記シャッタ部材の状態を把握でき、且つ前記本体から前記カバー部材を取り外す際には前記連結手段がそれを邪魔することがなく、更に前記本体に前記カバー部材を取り付ければ、再び前記連結手段が前記操作レバーと前記表示部材とを動力伝達可能に連結するため、メンテナンス性に優れ、又電力も必要がない簡素な換気装置が提供される。
【０００８】
更に、前記換気装置は、前記換気口に配置されたファンと、前記ファンを駆動する電動モータとを有し、前記電動モータの回転速度は、前記シャッタ部材の開き量に応じて変更可能となっているので、ファンを用いた強制換気を行うことができ、しかもファンの回転数が前記シャッタ部材の開き量に応じて変化するので、前記シャッタ部材の開き量が小さければファンをゆっくり回して、室内の暖房・冷房効果を損なうことなく静かな換気を行い、前記シャッタ部材の開き量が大きければファンを速く回して効率的な換気を行うことができる。
【０００９】
更に、前記連結手段は、互いに噛合するラックと歯車とを有すると好ましい。
【００１０】
更に、前記連結手段は、互いに係合するカムとフォロワとを有していてもよい。
【００１１】
【発明の実施の形態】
以下、本発明の実施の形態を、図面を参照しながら説明する。図１は、本発明の実施の形態にかかる換気装置を分解した状態で示す一部透視斜視図である。図２は、カバー部材の裏面側を示す斜視図である。図３は、表示部材の駆動機構を示す図である。
【００１２】
図１において、孔１０ａに挿通したねじ（不図示）などで建物の壁などに取り付けられる本体１０は、中央に円形開口１１ａを有する矩形板状のベース１１と、円形開口１１ａから延在する円筒部１２とからなる。換気口となる円形開口１１ａには、鉛直方向に延在するシャフト１１ｂが固定されている。
【００１３】
シャフト１１ｂに対して、半円形板状の２枚のシャッタ羽根１３、１３が、その直線部を枢動自在に取り付けられている。シャッタ部材を構成するシャッタ羽根１３，１３は、全閉状態では、図１で実線で示すように同一面に沿って延在し、丁度円形開口１１ａを覆うようになっており、全開状態では、図１で点線で示すように平行状態となって、円形開口１１ａを通過する空気を妨げないようになる。
【００１４】
シャッタ羽根１３，１３は、その面に直交するように取り付けられた水平板１３ａ、１３ａを有する。水平板１３ａ、１３ａは、円形開口１１ａ側に向かうにつれて互いに近づくように延在する長孔１３ｂ、１３ｂをそれぞれ有している。
【００１５】
ベース１１の下端からカバー２１側へと延在する支持部１１ｂの溝に沿って、操作部材１４が移動可能に取り付けられている。操作部材１４は、操作者が把持可能なように下方に延在する操作レバー１４ａと、操作レバー１４ａの上端から水平に延在する駆動板１４ｂと、駆動板１４ｂの端部から鉛直方向に延在し、水平板１３ａ、１３ａの長孔１３ｂ、１３ｂにそれぞれ係合する１対のピン１４ｃ、１４ｃと、駆動板１４ｂの上面に形成された当接部１４ｄとを有している。尚、操作部材１４には支持部１１ｂの複数の係止孔１１ｃのいずれかに係合する凸部１４ｆ（図２）が形成され、かかる係合により所定の位置で係止されるようになっている。
【００１６】
ベース１１に対向するようにして、筐体状のカバー部材２１が形成されている。図では一部を切り欠いて示すカバー部材２１は、上面に３つの開口２１ａを形成し、側面及び下面には細い複数のスリット２１ｂを形成している。カバー部材２１の内周面には、不図示の短角筒状のフィルターが設置されるので、開口２１ａ、スリット２１ｂを介して、濾過された空気が流通可能となる。
【００１７】
カバー部材２１の前パネル２１ｃには、水平方向に細長い矩形開口２１ｄが形成されている。矩形開口２１ｄを背面側より覆うようにして表示部材２３が取り付けられている。
【００１８】
表示部材２３の駆動機構について、図３を参照して説明する。駆動機構は、カバー部材２１（図２）の裏面から延在する薄い筐体２１ｅの中で回転自在に配置された歯車１５と、歯車１５に噛合するラック歯１６ａを有し、Ｘ方向（前パネル２１ｃに直交する方向）に移動するバー１６と、歯車１５に噛合するラック歯２３ａを有し、Ｙ方向（前パネル２１ｃに沿った方向）に移動する表示部材２３とを有する。歯車１５は、巻きばね１７により、バー１６が押し出される方向（表示部材２３が引き込まれる方向）に付勢されている。バー１６は組み付けられた状態で、当接部１４ｄ（図１）に当接するようになっている。
【００１９】
図１に示すように、表示部材２３の前面側において、例えば一部を赤色に塗られることで区別されるインジケータ部２３ｂが形成されている。尚、操作部材１４の当接部１４ｄと、ラックであるバー１６と、歯車１５とで連結手段を構成する。
【００２０】
次に、本実施の形態の動作について説明する。組み付けられた換気装置において、図１に示す全閉状態では、表示部材２３は、インジケータ部２３ｂを「閉」の文字が付された位置に静止している。この状態から、操作者が、操作レバー１４ａを矢印Ａ方向に操作すると、ピン１４ｃ、１４ｃが水平板１３ｂ、１３ｂを押すので、シャッタ羽根１３ａ，１３ａは、点線で示す全開状態（開放位置）になる。このとき、歯車１５とラック歯１６ａとを介して伝達される巻きばね１７の付勢力により、バー１６は、当接部１４ｄに向かって付勢されているので、操作レバー１４に追従して矢印Ａ方向に移動する。それと共に歯車１５が反時計回りに回動し、歯車１５に噛合してるラック歯２３ａを介して表示部材２３が図１で右方へと移動する。すなわち、シャッタ羽根１３ａ，１３ａが全開状態になったとき、表示部材２３のインジケータ部２３ｂは「開」の文字が付された位置に静止することとなる。
【００２１】
一方、全開状態から、操作者が、操作レバー１４ａを矢印Ｂ方向に操作すると、ピン１４ｃ、１４ｃが水平板１３ｂ、１３ｂを引くので、シャッタ羽根１３ａ，１３ａは、実線で示す全閉状態（閉止位置）になる。このとき、当接部１４ｄがバー１６を押し返すので、ラック歯１６ａも矢印Ｂ方向に移動し、これに噛合した歯車１５が時計回りに回動し、歯車１５に噛合してるラック歯１３ａを介して表示部材２３が図１で左方へと移動する。すなわち、シャッタ羽根１３ａ，１３ａが全閉状態になったとき、表示部材２３のインジケータ部２３ｂは「閉」の文字が付された位置に復帰することとなる。尚、操作レバー１４の凸部１４ｆが係止孔１１ｃに係合することで、操作レバー１４は開放位置もしくは閉止位置で係止されることとなる。ただし、操作者が、操作レバー１４ａを途中で止めれば、シャッタ羽根１３ａ、１３ａは、実線と点線の中途の位置で静止し、且つ表示部材２３のインジケータ部２３ｂは「中」の文字が付された位置に静止するようにしてもよい。
【００２２】
本実施の形態によれば、操作レバー１４ａの操作に応じて、色の付いたインジケータ部２３ｂが前パネル２１ｃ上において大きく移動することで、離れた位置にいるユーザーでも、容易にインジケータ部２３ｂの位置がわかり、シャッタ羽根１３ａ、１３ａの開閉状態を知ることができる。又、表示のために電力を用いていないので、省エネも図れる。
【００２３】
メンテナンス時には、本体１０からカバー部材２１を前方に引くだけで、当接部１４ｄとバー１６との係合は解除されるため、その分離は容易である。また、メンテナンス終了後には、本体２０にカバー部材２１を取り付ければ、バー１６の先端が当接部１４ｄに当接するが、このとき操作レバー１４の凸部１４ｆ（図２）が支持部１１ｂの係止孔１１ｃに係合していれば、巻きばね１７の付勢力は比較的弱いので、それにより操作レバー１４が動くことはなく、逆にバー１６が操作レバー１４の位置に応じて引き込まれるので、表示部材２３は操作レバー１４の位置に応じた表示を継続できる。
【００２４】
図４は、第２の実施の形態にかかる換気装置の一部断面側面図であり、図５は、図４の構成を矢印Ｖ方向に見た図である。図４、５の換気装置は、基本的に図１〜３の構成に、ファンと、それを駆動するモータとを取り付けただけであるので、共通した部分については説明を省略する。
【００２５】
図４、５において、本体１０の円筒部１２の端部に、ファン５０を取り付けたモータ５１を備えている。モータ５１を駆動する駆動回路は図示していないが、不図示の電灯線から電力を供給され、更に操作レバー１４の位置に応じて異なるデューティ比でモータ５１を駆動するようになっている。具体的には、ファン５０の回転は、シャッタ羽根１３，１３の開き量に応じて変化するようになっている。
【００２６】
本実施の形態によれば、シャッタ羽根１３，１３の開き量が小さければファン５０をゆっくり回して、室内の暖房・冷房効果を損なうことなく静かな換気を行い、シャッタ羽根１３，１３の開き量が大きければファン５０を速く回して効率的な換気を行うことができる。
【００２７】
尚、モータ５１の回転数はマイコン制御することもできる。例えば家人が長期間留守にするような場合にも、１日に１〜２回決まった時間に、３０分から１時間の強制換気を自動的に行うようにすると、かかる自動換気により、屋内の防かび・消臭効果を得ることができる。モータ５１のオン／オフ制御は、リモコンを使って行っても良い。本実施の形態によれば、モータを備えているかいないかに関わらず、カバー部材は一様であるので、デザイン的にも統一を図ることができる。
【００２８】
以上、本発明を実施の形態を参照して説明してきたが、本発明は上記実施の形態に限定して解釈されるべきではなく、適宜変更・改良が可能であることはもちろんである。
【００２９】
【発明の効果】
本発明の換気装置は、換気口を有する本体と、前記換気口を閉止する閉止位置と、前記換気口を開放する開放位置との間を移動自在なシャッタ部材と、前記本体に取り付けられ、前記シャッタ部材を駆動する操作レバーと、前記シャッタ部材を覆うようにして前記本体に取り付けられるカバー部材と、前記カバー部材に取り付けられ、前記シャッタ部材の位置に応じて移動する表示部材と、前記操作レバーと前記表示部材とを動力伝達可能に連結する連結手段とを有し、前記本体から前記カバー部材を取り外したとき、前記連結手段は、前記表示部材から動力伝達不能に切り離されるようになっているので、前記カバー部材が組み付けられた状態では、前記カバー部材上の視認しやすい位置に取り付けられた前記表示部材の表示よりユーザーが前記シャッタ部材の状態を把握でき、且つ前記本体から前記カバー部材を取り外す際には前記連結手段がそれを邪魔することがなく、更に前記本体に前記カバー部材を取り付ければ、再び前記連結手段が前記操作レバーと前記表示部材とを動力伝達可能に連結するため、メンテナンス性に優れ、又電力も必要がない簡素な換気装置が提供される。
【図面の簡単な説明】
【図１】第１の実施の形態にかかる換気装置を分解した状態で示す一部透視斜視図である。
【図２】カバー部材の裏面側を示す斜視図である。
【図３】表示部材の駆動機構を示す図である。
【図４】第２の実施の形態にかかる換気装置の一部断面側面図である。
【図５】図４の構成を矢印Ｖ方向に見た図である。
【符号の説明】
１０  本体
１３  シャッタ羽根
１４  操作部材
１５  歯車
１６  バー
２１  カバー部材
２３  表示部材
５０  ファン
５１  モータ
【図１】
2005009777.tif 000003
【図２】
2005009777.tif 000004
【図３】
2005009777.tif 000005
【図４】
2005009777.tif 000006
【図５】
2005009777.tif 000007